(57)【要約】【課題】台形歪みを生じさせず、軽量化及び小型化を可能とするリアプロジェクターを提供する。【解決手段】本発明のリアプロジェクターは、キャビネット内に、表示手段と、該表示手段により表示される原画像を拡大投写するための投写手段と、該投写手段より投写される画像光束をキャビネットの前面に設置された映写手段の背面に導くための反射手段と、該反射手段により導かれた画像光束を映写する映写手段とよりなるリアプロジェクターにおいて、前記反射手段は前記投写手段より投写された画像光束を反射することにより案内する第１反射鏡と第２反射鏡と、前記第２反射鏡にて案内された画像光束を反射して映写手段に映写する第３反射鏡とより形成され、前記第１反射鏡と第２反射鏡の反射面が直交するように配置するとともに、前記第２反射鏡と第３反射鏡は平行な位置で対向するように配置したことによって、台形歪みの発生を防止することが可能である。【選択図】図１
2005189784.tif 000002
【特許請求の範囲】
【請求項１】
キャビネット内に、表示手段と、該表示手段により表示される原画像を拡大投写するための投写手段と、該投写手段より投写される画像光束をキャビネットの前面に設置された映写手段の背面に導くための反射手段と、該反射手段により導かれた画像光束を映写する映写手段とよりなるリアプロジェクターにおいて、前記反射手段は前記投写手段より投写された画像光束を反射することにより案内する第１反射鏡と第２反射鏡と、前記第２反射鏡にて案内された画像光束を反射して映写手段に映写する第３反射鏡とより形成され、前記第１反射鏡と第２反射鏡の反射面が直交するように配置するとともに、前記第２反射鏡と第３反射鏡は平行な位置で対向するように配置したことを特徴とするリアプロジェクター。
【請求項２】
前記キャビネットは、それぞれ分離可能な第１キャビネットと第２キャビネットより形成されることを特徴とする請求項１に記載のリアプロジェクター。
【請求項３】
前記第１キャビネットには映写手段及び第３反射鏡が配置され、前記第２キャビネットには表示手段、投写手段、第１反射鏡、第２反射鏡が配置されていることを特徴とする請求項２に記載のリアプロジェクター。
【請求項４】
前記映写手段は原画像を映写する映写モードと、外表面に文字・記号・図形などを任意に書き込み可能な書き込みモード又は外表面をタッチパネルとして使用可能なタッチパネルモードの少なくともいずれか一つのモードを有することを特徴とする請求項１乃至請求項３に記載のリアプロジェクター。
【請求項５】
前記映写手段の映写モードと、書き込みモード又はタッチパネルモードの少なくともいずれか一つのモードが赤外線又は超音波センサーによって選択可能とすることを特徴とする請求項４に記載のリアプロジェクター。
【請求項６】
前記映写手段の映写モードと、書き込みモード又はタッチパネルモードの少なくともいずれか一つのモードは同時使用可能であることを特徴とする請求項４又は請求項５に記載のリアプロジェクター。
【発明の詳細な説明】
【発明の詳細な説明】
【産業上の利用分野】
【０００１】  本発明は、リアプロジェクターにかかり、特にビデオ映像や、コンピューター画像等を拡大投写するに適するリアプロジェクターに関する。
【背景技術】
【０００２】  近年、注目を浴びているのが、液晶パネルやＣＲＴの画像を拡大投写するプロジェクターである。プロジェクターはフロントプロジェクター、リアプロジェクターに分けられる。フロントプロジェクターは、自由に画面サイズが得られるなど種々の利点を有するが、部屋が明るい場合には映像がきれいに見られない、表示装置とは別にスクリーンが必要であるなど欠点を有している。【０００３】  これに対して、リアプロジェクターは、画面サイズの変更はできないものの、任意の場所で、しかも大画面を明るい部屋でも鮮明な映像を観賞が可能である。リアプロジェクターは、キャビネット内に表示手段からの原画像を拡大投写して案内する投写手段と反射鏡を複数枚設け、案内された画像光束を最終的にスクリーンに映写する構成が一般的である。【０００４】  これまでに、スクリーンに対して、垂直な光軸をもって投写する方式のリアプロジェクターが提供されている。小型化については、投写レンズの広角化による投写距離の短縮、ＣＲＴや液晶等の画像形成部の小型化によりなされているが、大幅な薄型化、小型化には至っていない。
【発明が解決しようとする課題】
【０００５】  上記のような従来のリアプロジェクターは、スクリーンに対して垂直な光軸をもって投写することを前提としている。このため、スクリーンに対して垂直な光軸を維持できない場合、台形歪などにより映像に歪みが生じるため、反射鏡の設置条件に大きな制約を受け、これによって投写レンズなどの光学系に割く面積が大きくなるためにスクリーンに対する奥行き方向の寸法が増し、薄型のリアプロジェクターとすることができないという問題があった。
【０００６】  本発明は、上記の従来の課題を解決するもので、台形歪みを生じさせず、軽量化及び小型化を可能とするリアプロジェクターを提供することを目的とする。
【課題を解決するための手段】
【０００７】  本発明のリアプロジェクターは、キャビネット内に、表示手段と、該表示手段により表示される原画像を拡大投写するための投写手段と、該投写手段より投写される画像光束をキャビネットの前面に設置された映写手段の背面に導くための反射手段と、該反射手段により導かれた画像光束を映写する映写手段とよりなるリアプロジェクターにおいて、前記反射手段は前記投写手段より投写された画像光束を反射することにより案内する第１反射鏡と第２反射鏡と、前記第２反射鏡にて案内された画像光束を反射して映写手段に映写する第３反射鏡とより形成され、前記第１反射鏡と第２反射鏡の反射面が直交するように配置するとともに、前記第２反射鏡と第３反射鏡は平行な位置で対向するように配置したことによって、台形歪みの発生を防止することが可能である。
【０００８】  また、前記キャビネットは、それぞれ分離可能な第１キャビネットと第２キャビネットより形成されることによって、不使用時や輸送の際には分離してスペースを有効に使用することを可能とするリアプロジェクターである。
【０００９】  前記第１キャビネットには映写手段及び第３反射鏡が配置され、前記第２キャビネットには表示手段、投写手段、第１反射鏡、第２反射鏡が配置されるように構成されることによって、第１キャビネットに配置された映写手段を大きくとることが可能である。
【００１０】  前記映写手段は原画像を映写する映写モードと、外表面に文字・記号・図形などを任意に書き込み可能な書き込みモード又は外表面をタッチパネルとして使用可能なタッチパネルモードの少なくとも一つのモードを有することによって、投写映像に好適な指示・説明を付与することを可能とする。
【００１１】  また、前記映写手段の映写モードと、書き込みモード又はタッチパネルモードの少なくとも一つのモードが赤外線又は超音波センサーによって選択可能とするリアプロジェクターとすることも可能であり、これによって、会議などに際して別途ホワイトボードなどを配置する必要がなく、会議室のスペースを有効に使用することを可能とするとともに、投写映像に好適な指示・説明を与えることを可能とする。
【００１２】  前記映写手段の映写モードと、書き込みモード又はタッチパネルモードは同時に使用することが可能であり、映写されている映像に対して書き込みを行うなどの使用方法によって、より平易な指示・説明を与えることを可能とする。
【００１３】  本発明のリアプロジェクターは、図１は本発明のリアプロジェクターを表す正面図であり、図２は本発明のリアプロジェクターを表す側面断面図であり、図３は本発明のリアプロジェクターを表す平面断面図である。１はキャビネットであり、２は映写手段であり、３は表示手段であり、４は投写手段であり、５は第１反射鏡であり、６は第２反射鏡であり、７は第３反射鏡である。
【００１４】  キャビネット１は、それぞれ分離可能な第１キャビネット１１と第２キャビネット１２により形成され、前記第１キャビネット１１には映写手段２および第３反射鏡７が配置され、前記第２キャビネット１２には表示手段３、投写手段４、第１反射鏡５、第２反射鏡６が配置されている。このような構成とすることによって、不使用時や輸送の際には分離してスペースを有効に使用することを可能とする。
【００１５】また、前記投写手段４より投写された画像光束を反射することにより案内する第１反射鏡５の反射面と第２反射鏡６の反射面は直交するように配置されるとともに、前記第２反射鏡６の反射面と第３反射鏡７の反射面は平行な位置で対向するように配置されるように構成することによって、映写手段２の背面から斜め投写しても映写手段２に形成される拡大画像に台形歪みが生じることがなく、正規の画像を映し出すことができながらキャビネット１の奥行き寸法を大幅に短縮することができ、超薄型で大画面のリアプロジェクターを得ることができる。
【００１６】  前記映写手段２は原画像を映写する映写モードと、外表面に文字・記号・図形などを任意に書き込み可能な書き込みモードを有する。前記書き込みモードを採用することによって、投写映像に好適な指示・説明を付与することを可能とするものである。
【００１７】  また、前記映写手段２の映写モードと、書き込みモードは赤外線センサー９によって選択可能である。これによって、会議などに際して別途ホワイトボードなどを配置する必要がなく、会議室のスペースを有効に使用することを可能とするとともに、投写映像に好適な指示・説明を行うことが可能である。
【００１８】  前記映写手段２の映写モードと、書き込みモードは同時に機能させて、映写中の画面にマーカなどで書き込みを行うことが可能であり、会議などにおける説明などにはより平易な説明が可能である。
【００１９】  尚、本実施例では、映写モードと選択可能な別の機能モードとして、書き込みモードのみを使用したが、書き込みモードと合わせてタッチパネルモードを選択することも可能である。また、本実施例ではモード選択のためのセンサーに赤外線センサーを使用したが、超音波センサーを使用することも可能である。
【発明の効果】
【００２０】  本発明は、上記の如く構成したことにより、リアプロジェクターの筐体を小型化・薄型化しても台形歪を生じることがないので、リアプロジェクターを小型化・薄型化してスペースを有効に活用することが可能である。
【００２１】  また、前記キャビネットは、それぞれ分離可能な第１キャビネットと第２キャビネット形成するとともに、前記第１キャビネットには映写手段及び第３反射鏡が配置され、前記第２キャビネットには表示手段、投写手段、第１反射鏡、第２反射鏡が配置するにより、不使用時や輸送の際には分離してスペースを有効に使用することを可能とする。
【００２２】  前記映写手段は原画像を映写する映写モードと、外表面に文字・記号・図形などを任意に書き込み可能な書き込みモード又は外表面をタッチパネルとして使用可能なタッチパネルモードの少なくともいずれか一つのモードを備えることによって、会議などに際して投写映像に好適な指示・説明を与えることを可能とするものである。
【図面の簡単な説明】
【図１】本発明のリアプロジェクターを表す正面図である。
【図２】本発明にリアプロジェクターを表す側面断面図である。
【図３】本発明にリアプロジェクターを表す平面断面図である。
【符号の説明】
１  キャビネット
２  映写手段
３  表示手段
４  投写手段
５  第１反射鏡
６  第２反射鏡
７  第３反射鏡
９  赤外線センサー
１１  第１キャビネット
１２  第２キャビネット
【図１】
2005189784.tif 000003
【図２】
2005189784.tif 000004
【図３】
2005189784.tif 000005